(57)【特許請求の範囲】
【請求項１】
ハンドルフレームに対して回動可能に軸支されたドアハンドルに固定され、このドアハンドルの回動操作に伴って変位するハンドル側コネクタと、
前記ハンドルフレーム側に位置して前記ハンドル側コネクタと嵌合可能とされ、その嵌合状態では前記ドアハンドルの回動操作により前記ハンドル側コネクタと協動的に変位するフレーム側コネクタと、
前記フレーム側コネクタの端面から導出された電線群を保持する電線保持部を有するとともに、この電線保持部に一体に連なって前記ドアハンドルに取り付けられるハンドル取付部を有することで、前記電線保持部の前記ドアハンドルに対する相対位置を不変となすクランプ部材とを備えることを特徴とするコネクタ接続構造。
【請求項２】
前記フレーム側コネクタを挟んで前記ドアハンドルの反対側にはドアガラスの昇降面が位置しており、前記電線群は、前記フレーム側コネクタの端面から離れるにしたがって前記ドアガラスの昇降面との間隔を拡げるように同昇降面に対して斜めに配線される傾斜部を含んでおり、前記電線保持部は、この傾斜部の傾斜姿勢を維持する傾斜案内手段を備えることを特徴とする請求項１に記載のコネクタ接続構造。
【請求項３】
前記ドアガラスの昇降面に対して前記フレーム側コネクタの端面が対面しており、前記電線群は前記フレーム側コネクタの端面から導出されたあと屈曲させられそこから前記傾斜部が延出されており、前記電線群の延出途中は結束手段により結束位置にて束ねられており、
前記電線群を構成する複数本の電線のうち、前記屈曲動作による曲げの内側に位置する電線の方が、曲げの外側に位置する電線よりも、前記フレーム側コネクタの端面から前記結束位置に至るまでの距離が短くなるように設定されていることを特徴とする請求項２に記載のコネクタ接続構造。
【請求項４】
ハンドルフレームに対して回動可能に軸支されるドアハンドルに固定されたハンドル側コネクタが前記ドアハンドルの回動操作に伴って変位することにより、このハンドル側コネクタと嵌合状態にあって前記ハンドルフレーム側に位置するフレーム側コネクタが前記ハンドル側コネクタと協動的に変位する場合に用いられるクランプ部材であり、
前記フレーム側コネクタの端面から導出された電線群を保持する電線保持部を有するとともに、この電線保持部に一体に連なって前記ドアハンドルに取り付けられるハンドル取付部を有することで、前記電線保持部の前記ドアハンドルに対する相対位置を不変となすことを特徴とするクランプ部材。
【請求項５】
前記フレーム側コネクタを挟んで前記ドアハンドルの反対側にはドアガラスの昇降面が位置しており、前記電線群は、前記フレーム側コネクタの端面から離れるにしたがって前記ドアガラスの昇降面との間隔を拡げるように同昇降面に対して斜めに配線される傾斜部を含んでおり、前記電線保持部は、この傾斜部の傾斜姿勢を維持する傾斜案内手段を備えることを特徴とする請求項４に記載のクランプ部材。
【請求項６】
前記フレーム側コネクタに取り付けられるコネクタ取付部を有し、前記電線保持部はこのコネクタ取付部から帯板状に延出する形態とされ、かつ、この電線保持部の板面に沿って前記電線群を配索した状態から同電線保持部を前記コネクタ取付部を支点として回曲させることによって前記電線群の延出方向が規定されることを特徴とする請求項４または請求項５に記載のクランプ部材。
【発明の詳細な説明】
【技術分野】
【０００１】
本発明は、ドアハンドルとハンドルフレームにそれぞれ配備されたコネクタの接続構造及びフレーム側コネクタから導出された電線を保持するクランプ部材に関する。
【背景技術】
【０００２】
従来より、車両のドアの開閉操作を利便性良く行うためのシステムが種々知られており、こうしたシステムに対応してドアハンドルやハンドルフレームには各種電気部品が内蔵されている。例えば、特許文献１に記載のものでは、ドアハンドル側にハンドル側コネクタが取り付けられ、ハンドルフレーム側にフレーム側コネクタが保持されている。ドアハンドルの端部はハンドルフレームに軸支されており、ここを支軸としてドアハンドルが回動される。そしてドアハンドルの回動操作に伴い、相互に嵌合状態にある両コネクタが協動的に略一体となって変位するようになっている。
【特許文献１】特開２００５−８２０９１公報（第４図）
【発明の開示】
【発明が解決しようとする課題】
【０００３】
ところで、フレーム側コネクタは、ドアハンドルから分離された状態で車両内部から延びる電線群の端末に接続されているため、この電線群によって内側へ引き込まれドアハンドル側へは移動し難い状態になることがあり、ドアハンドルの回動時にハンドル側コネクタの変位動作に柔軟に追従できない場合がある。そうすると、両コネクタの相互の嵌合面にずれ方向の応力が加わり、ひいては、両コネクタ内の端子金具同士の接続部位に無用な応力が作用するおそれがある。  
本発明は上記のような事情に基づいて完成されたものであって、ドアハンドルの回動時にフレーム側コネクタの変位動作が円滑に行われるようにすることを目的とする。
【課題を解決するための手段】
【０００４】
上記の目的を達成するための手段として、請求項１の発明は、ハンドルフレームに対して回動可能に軸支されたドアハンドルに固定され、このドアハンドルの回動操作に伴って変位するハンドル側コネクタと、前記ハンドルフレーム側に位置して前記ハンドル側コネクタと嵌合可能とされ、その嵌合状態では前記ドアハンドルの回動操作により前記ハンドル側コネクタと協動的に変位するフレーム側コネクタと、前記フレーム側コネクタの端面から導出された電線群を電線保持部を有するとともに、この電線保持部に一体に連なって前記ドアハンドルに取り付けられるハンドル取付部を有することで、前記電線保持部の前記ドアハンドルに対する相対位置を不変となすクランプ部材とを備える構成としたところに特徴を有する。
【０００５】
請求項２の発明は、請求項１に記載のものにおいて、前記フレーム側コネクタを挟んで前記ドアハンドルの反対側にはドアガラスの昇降面が位置しており、前記電線群は、前記フレーム側コネクタの端面から離れるにしたがって前記ドアガラスの昇降面との間隔を拡げるように同昇降面に対して斜めに配線される傾斜部を含んでおり、前記電線保持部は、この傾斜部の傾斜姿勢を維持する傾斜案内手段を備えるところに特徴を有する。
【０００６】
請求項３の発明は、請求項２に記載のものにおいて、前記ドアガラスの昇降面に対して前記フレーム側コネクタの端面が対面しており、前記電線群は前記フレーム側コネクタの端面から導出されたあと屈曲させられそこから前記傾斜部が延出されており、前記電線群の延出途中は結束手段により結束位置にて束ねられており、前記電線群を構成する複数本の電線のうち、前記屈曲動作による曲げの内側に位置する電線の方が、曲げの外側に位置する電線よりも、前記フレーム側コネクタの端面から前記結束位置に至るまでの距離が短くなるように設定されているところに特徴を有する。
【０００７】
請求項４の発明は、ハンドルフレームに対して回動可能に軸支されるドアハンドルに固定されたハンドル側コネクタが前記ドアハンドルの回動操作に伴って変位することにより、このハンドル側コネクタと嵌合状態にあって前記ハンドルフレーム側に位置するフレーム側コネクタが前記ハンドル側コネクタと協動的に変位する場合に用いられるクランプ部材であり、前記フレーム側コネクタの端面から導出された電線群を保持する電線保持部を有するとともに、この電線保持部に一体に連なって前記ドアハンドルに取り付けられるハンドル取付部を有することで、前記電線保持部の前記ドアハンドルに対する相対位置を不変となす構成としたところに特徴を有する。
【０００８】
請求項５の発明は、請求項４に記載のものにおいて、前記フレーム側コネクタを挟んで前記ドアハンドルの反対側にはドアガラスの昇降面が位置しており、前記電線群は、前記フレーム側コネクタの端面から離れるにしたがって前記ドアガラスの昇降面との間隔を拡げるように同昇降面に対して斜めに配線される傾斜部を含んでおり、前記電線保持部は、この傾斜部の傾斜姿勢を維持する傾斜案内手段を備えるところに特徴を有する。
【０００９】
請求項６の発明は、請求項４または請求項５に記載のものにおいて、前記フレーム側コネクタに取り付けられるコネクタ取付部を有し、前記電線保持部はこのコネクタ取付部から帯板状に延出する形態とされ、かつ、この電線保持部の板面に沿って前記電線群を配索した状態から同電線保持部を前記コネクタ取付部を支点として回曲させることによって前記電線群の延出方向が規定されるところに特徴を有する。
【発明の効果】
【００１０】
＜請求項１または請求項４の発明＞
ドアハンドルの回動操作に伴ってハンドル側コネクタが変位するとともに、このハンドル側コネクタと嵌合状態にあるフレーム側コネクタが協動的に変位する。このとき、フレーム側コネクタの端面から導出された電線群はクランプ部材の電線保持部によって保持され、さらにこのクランプ部材のハンドル取付部がドアハンドルに取り付けられることで、電線保持部のドアハンドルに対する相対位置を不変としてあるから、ドアハンドルの回動操作に伴ってフレーム側コネクタの端面から電線保持部に無用な応力が作用することはない。結果、両コネクタ同士の嵌合面に生じるずれ方向の応力が抑制されて、ドアハンドルの回動時における両コネクタの変位動作の円滑性が保障される。
【００１１】
＜請求項２または請求項５の発明＞
フレーム側コネクタを挟んでドアハンドルの反対側にドアガラスの昇降面が位置しているという事情があるから、フレーム側コネクタの端面から導出された電線群とドアガラスとの干渉が懸念されるところである。しかるに本発明によれば、クランプ部材の電線保持部が傾斜案内手段を有することにより、電線群がフレーム側コネクタの端面から離れるにしたがってドアガラスの昇降面との間隔を拡げるように同昇降面に対して斜めに配線される傾斜部の傾斜姿勢を維持するようになっているから、電線群とドアガラスとの干渉を回避できる。
【００１２】
＜請求項３の発明＞
電線群が屈曲された状態では、曲げの内側に位置する電線は、屈曲部位にてその余長部分を膨出状態で回曲させることになり、スペース的に収まり難くなることが懸念される。しかるに本発明によれば、曲げの内側に位置する電線の方が曲げの外側に位置する電線よりも、フレーム側コネクタの端面から結束位置に至るまでの距離が短くなるように設定されているため、曲げの内側に位置する電線の屈曲部位における余長を少なく設定でき、屈曲部位にてコンパクトにまとめることができる。
【００１３】
＜請求項６の発明＞
電線保持部の板面に沿って電線群を配索した状態からこの電線保持部をコネクタ取付部を支点として回曲させることによって電線群の延出方向が規定されるから、電線群の曲げ動作を容易に行え、かつ、その曲げ状態を安定的に維持することができる。また、電線保持部とコネクタ取付部とによって電線群が保護状態におかれる。
【発明を実施するための最良の形態】
【００１４】
＜実施形態１＞
本発明の実施形態１を図１ないし図５によって説明する。本実施形態は車両のドアハンドル装置Ｓにおけるコネクタ接続構造及びそこに用いられるクランプ部材６０を例示するものである。ドアハンドル装置Ｓは、ドアロックの施錠・解錠に際して適用される、いわゆるスマートドアロックシステムを構築するものであり、ドアハンドル１０とハンドルフレーム２０とを備え、ドアハンドル１０側にはハンドル側コネクタ３０が設けられ、ハンドルフレーム２０側にはフレーム側コネクタ４０が設けられている。
【００１５】
ドアハンドル１０は、図１に示すように、ドアパネル１５（ドア外板）の外面に突成され、アーム状の支点部１１と支点部１１の外縁から車両後方へ延出される中空扁平状のハンドル本体１２とからなる。ハンドル本体１２の内面はドアパネル１５の凹曲面１５Ａから離間する湾曲面１２Ａとされ、把持容易なグリップ形状をなしている。そして、ハンドル本体１２の内部にはセンサ等の各種電気部品（図示せず）が内蔵されている。また、ハンドル本体１２のうちの支点部１１寄りの位置には、センサ等と電気的に接続されたハンドル側コネクタ３０が、支点部１１と並んで一体的に支持されている。このハンドル側コネクタ３０は、ドアハンドル１０と一体的に挙動するものである。
【００１６】
支点部１１は、ハンドル側コネクタ３０とともに、ドアパネル１５に開設されたハンドル投入口１６に挿通されてドアパネル１５の内部に臨むようになっている。ドアパネル１５の内部には同ドアパネル１５の内面に固着された枠状のハンドルフレーム２０が持ち受けており、ドアパネル１５の内部に臨んだ支点部１１及びハンドル側コネクタ３０はこのハンドルフレーム２０の内側に導入される。支点部１１には軸部１３が設けられており、これがハンドルフレーム２０側の軸受け部（図示せず）と嵌合することにより、ハンドルフレーム２０に対して軸部１３を回動中心とするドアハンドル１０の回動操作が許容される。詳しくは、ハンドル本体１２の車両後方部をドアパネル１５から離間する方向へ引くことにより、ハンドル本体１２が軸部１３を回動中心として図示矢線方向へ傾動するようになっている。
【００１７】
また、ハンドルフレーム２０内には、フレーム側コネクタ４０が揺動状態で配置されている。フレーム側コネクタ４０は、両コネクタ３０，４０の嵌合時、ハンドル側コネクタ３０の配設位置に対応するようにドアハンドル１０側にその嵌合面を向けて配置される。そして、ハンドルフレーム２０の内側、つまりハンドルフレーム２０を挟んでドアハンドル１０の反対側には、ドアガラス９０の昇降面９１が、ハンドルフレーム２０側に近接して配されている。嵌合状態にあるフレーム側コネクタ４０の嵌合方向後方で、かつこのフレーム側コネクタ４０と近接する位置に、ドアガラス９０の昇降面９１が位置することになる。フレーム側コネクタ４０の内部には複数の端子金具（図示せず）が収容されており、各端子金具はドアボディに固定されてそこから延びる電線群８０（複数本（図示する場合は二本）の電線８１）の端末に接続されている。各端子金具は電線群８０を介してさらに車両内部の電気信号線に接続されている。
【００１８】
さて、フレーム側コネクタ４０の端面から導出された電線群８０にはクランプ部材６０が係合されている。クランプ部材６０は、合成樹脂材によって一体に形成され、電線群８０を保持する電線保持部６１と、この電線保持部６１に連成されて同電線保持部６１が電線群８０を保持した状態でドアハンドル１０に取り付けられるハンドル取付部６２とを備える。さらにクランプ部材６０は、電線保持部６１に連成されてフレーム側コネクタ４０に取り付けられるコネクタ取付部６３を備える。  
電線保持部６１は、図５に示すように、帯板状をなし、その両板面のうちの一方面（図５に示す上面）が電線群８０の載置面６１Ａとして構成される。電線保持部６１の一端寄りの位置（コネクタ取付部６３寄りの位置）には、ここを挟んだ前後の領域よりも薄肉とされたヒンジ部６４が設けられている。電線保持部６１がその載置面６１Ａに電線群８０を載せた状態から図２に示す矢線方向にコネクタ取付部６３を支点として回曲されると、ヒンジ部６４が円弧状に撓み変形させられて、電線群８０がフレーム側コネクタ４０の端面近傍において強制的に屈曲変形させられる。
【００１９】
そして、電線保持部６１は、回曲前はコネクタ取付部６３との連結部位から一方向に延出されており、その延出方向後半部に、ヒンジ部６４を含みつつ取付状態においてドアガラス９０の昇降面９１と略平行に配される基板部６５が設けられ、その延出方向前半部に、先端側へ向けて昇り勾配となるテーパ状の傾斜案内部６６が設けられている。傾斜案内部６６は、基板部６５より一段高くなるように同基板部６５と段付き状に連なり、かつその左右の幅寸法が基板部６５より狭くなっている。この電線保持部６１に保持された電線群８０は、傾斜案内部６６によってドアガラス９０の昇降面９１との間隔を徐々に拡げる方向に延出され、ここに本発明における傾斜部８０Ａが形成される。つまり、電線群８０はフレーム側コネクタ４０の端面からドアガラス９０の昇降面９１側に延びたあと屈曲部８０Ｂを介して傾斜部８０Ａに連なり、傾斜案内部６６に支持されることで傾斜部８０Ａの傾斜姿勢が一定に保たれる。
【００２０】
コネクタ取付部６３は、図３及び図４に示すように、電線保持部６１の延出方向後端部の両側縁から立ち上げられて相対向する左右一対の引出案内板６７と、両引出案内板６７の外面に重合状態で接合するコネクタ取付本体６８とからなる。引出案内板６７は、図５に示すように、回曲された電線保持部６１のヒンジ部６４の形状と対応する円弧縁６７Ａを有して側方から見ると略四半円弧状をなし、円弧縁６７Ａが回曲された電線保持部６１のヒンジ部６４の両側縁に沿って配置される。そして、引出案内板６７は、電線保持部６１に保持された電線群８０の両側外方に位置して、この電線群８０の幅方向に関する遊動を規制するようになっている。
【００２１】
コネクタ取付本体６８は、引出案内板６７より大きい板厚を有して引出案内板６７の延出方向後端より後方へ突出する部分を含んでおり、ここに、引出案内板６７の延出方向後端に沿って延出されるとともに立ち上げ端面及び相対向する対向面に開口する左右一対の取付溝６９が設けられている。両取付溝６９は、電線保持部６１の軸線を挟んで左右対称のレール溝状をなしている。フレーム側コネクタ４０の端部には取付溝６９に対応して取付リブ４１が設けられており、コネクタ取付本体６８の両対向面間にフレーム側コネクタ４０の端部が嵌入することにより、取付リブ４１が取付溝６９の端面開口から同取付溝６９にスライド状態で進入するようになっている。これにより、クランプ部材６０がフレーム側コネクタ４０に着脱可能に取り付けられる。
【００２２】
また、ハンドル取付部６２は、電線保持部６１の延出方向略中央部、つまり基板部６５から傾斜案内部６６に連なる部分の両側縁から立ち上げられて相対向する左右一対の補強板７１と、両補強板７１の外面からいったん側方へ突き出たあと補強板７１の外面と略平行に立ち上げられるハンドル取付本体７２とからなる。補強板７１には、ハンドル取付本体７２の立ち上げ端とほぼ同じ位置まで延出されて、ハンドル取付本体７２と間にスリット７４を保有しつつ対峙する左右一対の対向壁７５が設けられている。両対向壁７５は、電線保持部６１においてコネクタ取付本体６８より軸中心寄りの位置に配置されている。
【００２３】
ハンドル取付本体７２は、前後一対の桁部７２Ａと梁部７２Ｂとから構成されて側方から見ると門型枠状をなし、内側に係合孔７３を有している。ドアハンドル１０の支点部１１には、係合孔７３と対応して係合突部１４が設けられている。ハンドル取付部６２をドアハンドル１０側へ接近させ、上記スリット７４に支点部１１を構成する枠板１１Ａを進入させることで、枠板１１Ａがハンドル取付本体７２と対向壁７５との間に挟み込まれる。さらにハンドル取付部６２をドアハンドル１０側に押し込むと、ハンドル取付本体７２が係合突部１４を弾性的に乗り越えて係合孔７３に係合突部１４が嵌入され、もってハンドル取付部６２がドアハンドル１０に取り付けられる。取付状態では支点部１１の枠板１１Ａの端面がスリット７４の底面に当て止めされ、これによってハンドル取付部６２のそれ以上の押し込み操作が規制されるようになっている。
【００２４】
次に、本実施形態の組み付け手順及び作用効果を説明する。  
まず、ドアハンドル１０にハンドル側コネクタ３０を支持させ、その状態からハンドル側コネクタ３０及び支点部１１をドアハンドル１０のハンドル投入口１６を通してハンドルフレーム２０内に導入し、さらにドアハンドル１０を軸部１３を介してハンドルフレーム２０に軸支させる。ハンドルフレーム２０内には電線群８０の端末に接続されたフレーム側コネクタ４０を揺動可能に臨ませ、フレーム側コネクタ４０にはクランプ部材６０を図２における右方から取付溝６９に沿ってスライド装着させておく。電線群８０の延出途中は、傾斜案内部６６とともにテープ巻きによる結束部８５（本発明の結束手段に相当）により束ねておく。そして、図２に示すように、ハンドル側コネクタ３０とフレーム側コネクタ４０とを双方の嵌合面同士を突き合わせて嵌合させる。両コネクタ３０，４０が正規嵌合されると、その内部に収容された端子金具同士が確実に接続される。
【００２５】
両コネクタ３０，４０が嵌合状態にあるとき、図２に示すように、フレーム側コネクタ４０の端面から導出される電線群８０は、途中で屈曲することなく電線保持部６１に沿って真直ぐ延びた状態となる。このとき、電線群８０のうち、屈曲状態で曲げの内側に位置する電線８１Ａは、フレーム側コネクタ４０の端面から結束部８５による結束位置まで最短距離でつながるように略一直線状に延出される一方、曲げの外側に位置する電線８１Ｂは、フレーム側コネクタ４０の端面から結束位置に行くにしたがって内側へ寄るように斜めに延出される。つまり、曲げの内側に位置する電線８１Ａの方が、曲げの外側に位置する電線８１Ｂよりも、フレーム側コネクタ４０の端面から結束位置に至るまでの距離が短くなっている。
【００２６】
両コネクタ３０，４０を互いに嵌合させた後、図示矢線方向にクランプ部材６０（電線保持部６１）を回動させる。このとき、クランプ部材６０と電線群８０とは傾斜案内部６６を介して結束部８５により一体化されているので、電線群８０を持ってクランプ部材６０を回動させても構わない。すると、ヒンジ部６４がコネクタ取付部６３を支点として引出案内板６７の円弧縁６７Ａに沿うよう弧状に回曲し、ハンドル取付部６２がドアハンドル１０の支点部１１側へ徐々に接近する。クランプ部材６０の回動途上で、電線保持部６１の載置面６１Ａに電線群８０が当接して載せられ、ヒンジ部６４の屈曲動作に伴って屈曲部８０Ｂが形成される。さらに、傾斜案内部６６によって傾斜部８０Ａの傾斜姿勢が規定され、かつ、電線保持部６１の載置面６１Ａに各電線８１がその並び方向に積層支持される。もっとも、電線群８０は、傾斜案内部６６の段差により、ヒンジ部６４から傾斜案内部６６に至るまでの間、電線保持部６１の載置面６１Ａから浮いた状態にある。
【００２７】
ハンドル取付部６２がドアハンドル１０への取付位置まで回動されると、図１に示すように、ハンドル取付本体７２が係合突部１４に弾性係止され、これにより、クランプ部材６０がドアハンドル１０と一体化する。取付状態で電線群８０の傾斜部８０Ａは、傾斜案内部６６によって先端側へ行くほどドアガラス９０の昇降面９１との間隔を拡げる斜め方向に支持される。また、曲げの内側に位置する電線８１Ａの屈曲部８０Ｂは、傾斜部８０Ａの存在に起因して、曲げの外側に位置する電線８１Ｂに覆い被さるように略Ｕの字に大きく膨出させられるものの、コンパクトにまとめられる。
【００２８】
こうしてクランプ部材６０をドアハンドル１０に取り付けた後、ドアの開動作を行うべく、ドアハンドル１０を軸部１３を回動中心として図１における矢線方向に回動させる。すると、ハンドル側コネクタ３０がドアハンドル１０の回動方向に変位するとともに、このハンドル側コネクタ３０と嵌合状態にあるフレーム側コネクタ４０がハンドル側コネクタ３０に追従して同じくドアハンドル１０の回動方向に変位する。このとき、フレーム側コネクタ４０の端面から導出された電線群８０がクランプ部材６０の電線保持部６１によって保持され、その保持状態を保ちつつクランプ部材６０のハンドル取付部６２がドアハンドル１０に取り付けられて固定されるため、ドアハンドル１０が回動しても、ドアハンドル１０に対する電線保持部６１の相対位置は不動となる。したがって、電線群８０のうち、フレーム側コネクタ４０の端面から電線保持部６１によって保持される部分に、ドアハンドル１０の回動操作に伴って無用な応力（ストレス）が加わることはない。その結果、両コネクタ３０，４０同士の嵌合面（嵌合領域）に生じるずれ方向の応力が抑制されて、ドアハンドル１０の回動時における両コネクタ３０，４０の変位動作が円滑となる。
【００２９】
また、フレーム側コネクタ４０を挟んでドアハンドル１０の反対側にドアガラス９０の昇降面９１が位置しているという事情があるから、フレーム側コネクタ４０の端面から導出された電線群８０とドアガラス９０との干渉が懸念されるところであるが、本実施形態によれば、電線群８０がフレーム側コネクタ４０の端面から離れるにしたがってドアガラス９０の昇降面９１との間隔を拡げるように同昇降面９１に対して斜めに配線される傾斜部８０Ａを有し、この傾斜部８０Ａの傾斜姿勢をクランプ部材６０の傾斜案内部６６が安定的に下支えしているから、電線群８０とドアガラス９０との干渉を回避することができる。
【００３０】
また、屈曲動作によって曲げの内側に位置する電線８１Ａは、傾斜部８０Ａの存在に起因して、屈曲部８０Ｂにてその余長部分を外側へ膨出状態で回曲させることになり、ここの曲げ応力が過大になり、かつ、スペース的に収まり難くなることが懸念される。しかし、本実施形態によれば、曲げの内側に位置する電線８１Ａの方が曲げの外側に位置する電線８１Ｂよりも、フレーム側コネクタ４０の端面から結束位置に至るまでの距離が短くなるように設定されているため、曲げの内側に位置する電線８１Ａの屈曲部８０Ｂにおける余長を少なく設定でき、ここにむやみに大きな曲げ応力が作用するのを防止でき、かつコンパクトにまとめられる。
【００３１】
さらに、電線保持部６１の載置面６１Ａに沿って電線群８０を配索した状態からこの電線保持部６１をコネクタ取付部６３を支点として回曲させることによって電線群８０の延出方向が規定されるから、電線群８０の曲げ動作を容易に行え、かつその曲げ状態を安定的に維持することができる。また、電線群８０の引出端部が電線保持部６１とコネクタ取付部６３とに覆われることによって保護状態におかれる。
【００３２】
＜実施形態２＞
次に、本発明の実施形態２を図６ないし図９によって説明する。実施形態２は、クランプ部材６０Ａの形状が実施形態１と一部異なっているが、その他は実施形態１と概ね同様である。よって、実施形態１と同一部位には同一符号を付して重複する説明は省略する。
【００３３】
電線保持部６１Ｂは、傾斜案内部６６を有することなく、図９に示すように、回曲前はコネクタ取付部６３Ａとの連結部位から一方向にフラットに延出された基板部６５のみにより構成される。実施形態２では、実施形態１と違って電線群８０を傾斜姿勢で支持しようとする技術思想はなく、屈曲部８０Ｂが外側へ膨出して収まりが悪くなる懸念はない。電線保持部６１Ｂのうち、ハンドル取付部６２との連結部位より先端側は、実施形態１より短く形成され、その電線群８０の載置面６１Ａとは反対側となる底面に、指掛け動作を案内する幅方向のリブ７７が前後に間隔をあけて形成されている。クランプ部材６０Ａの近傍には結束部８５に相当するものは設けられておらず、また、ハンドル取付部６２については実施形態１と同じ形状である。
【００３４】
コネクタ取付部６３Ａのうちの引出案内板６７Ａは、電線群８０の屈曲部８０Ｂが外側へ膨出しないことに起因して実施形態１より前後に短く形成され、その立ち上げ端に、左右一対の落ち込み防止部７８が内向きに突出して形成されている。落ち込み防止部７８は、立ち上げ方向に沿って細長く延びるリブ状をなし、図７に示すように、両引出案内板６７Ａの内面（対向面）において同じ高さ位置で左右対称に配されている。ヒンジ部６４Ａの両側縁には、図８に示すように、落ち込み防止部７８の型抜きに伴う切り欠き６４Ｂが凹設されている。
ここで、クランプ部材６０Ａの回動操作によってヒンジ部６４Ａが回曲されると、図６に示すように、落ち込み防止部７８が、電線保持部６１Ｂの載置面６１Ａ、詳しくはヒンジ部６４Ａによる回曲動作の終端位置（ヒンジ部６４Ａの直前方位置）に幅方向から当接することになる。これにより、ヒンジ部６４Ａが薄肉によって低剛性化されているという事情があっても、落ち込み防止部７８による抑えが働いてヒンジ部６４Ａの回曲姿勢の安定化を実現することができる。
【００３５】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）上記実施形態では、クランプ部材はコネクタ取付部を有することでフレーム側コネクタに取り付け可能とされたが、本発明によれば、クランプ部材はコネクタ取付部を有することなくフレーム側コネクタとは非係合とされてもよい。例えば、クランプ部材は、フレーム側コネクタの端面から導出された電線群を同端面から離れた位置にて保持する電線保持部とこの電線保持部に一体に連成されたハンドル取付部とからなるものであってもよい。要は、クランプ部材は、ハンドル取付部を有することで、電線保持部のドアハンドルに対する相対位置が不変となるものであればよい。
【００３６】
（２）実施形態１によれば、クランプ部材とは別にテープ巻き等による結束部が設けられていたが、本発明によれば、電線保持部に結束部を兼備させても構わない。これにより、部品点数を削減できる。  
（３）上記実施形態によれば、電線群が屈曲部を介してそこからドアガラスの昇降面と対向しつつ延出されていたが、本発明によれば、電線群が屈曲部を介することなくドアガラスの昇降面と対向しつつ延出されるものであってもよい。この場合、両コネクタの嵌合面の向く方向がドアガラスの昇降面と略平行に設定されているとよい。  
（４）上記実施形態では、ドアハンドル側に係合突部が設けられ、クランプ部材側に突片状のハンドル取付本体が設けられていたが、本発明によれば、これとは逆に、ドアハンドル側にハンドル取付本体に相当する突片状部材が設けられ、クランプ部材側に係合突部が設けられていてもよい。  
（５）上記実施形態では、コネクタ取付部側に取付溝が設けられ、フレーム側コネクタ側に取付リブが設けられていたが、本発明によれば、これとは逆に、コネクタ取付部側に取付リブが設けられ、フレーム側コネクタ側に取付溝が設けられてもよい。  
（６）上記実施形態では、ハンドルフレームはドアパネルと別部材として構成されていたが、本発明によれば、ハンドルフレームはドアパネルと同一部材として構成されるものであってもよい。
【図面の簡単な説明】
【００３７】
【図１】実施形態１のコネクタ接続構造の側面図
【図２】電線群及びクランプ部材を屈曲させる前の側面図
【図３】クランプ部材の背面図
【図４】クランプ部材の平面図
【図５】クランプ部材の側面図
【図６】実施形態２のコネクタ接続構造の側面図
【図７】クランプ部材の背面図
【図８】クランプ部材の平面図
【図９】クランプ部材の側面図
【符号の説明】
【００３８】
Ｓ…ドアハンドル装置
１０…ドアハンドル
１１…支点部
１３…軸部
２０…ハンドルフレーム
３０…ハンドル側コネクタ
４０…フレーム側コネクタ
６０…クランプ部材
６１…電線保持部
６２…ハンドル取付部
６４…ヒンジ部
６６…傾斜案内部（傾斜案内手段）
８０…電線群
８０Ａ…傾斜部
８５…結束部（結束手段）
９０…ドアガラス
９１…昇降面
【図１】
0004656579.tif 000002
【図２】
0004656579.tif 000003
【図３】
0004656579.tif 000004
【図４】
0004656579.tif 000005
【図５】
0004656579.tif 000006
【図６】
0004656579.tif 000007
【図７】
0004656579.tif 000008
【図８】
0004656579.tif 000009
【図９】
0004656579.tif 000010